(57)【特許請求の範囲】
【請求項１】
オーディオ信号を再生するように構成された車両用オーディオシステムであって、
少なくとも２である有限の最大数の処理チャンネルを有する信号プロセッサと、
オーディオソースからのオーディオ信号を再生するようにオーディオシステムが受けた要請に応じて、複数のオーディオソースのそれぞれを信号プロセッサの独立した各処理チャンネルに動的に割り当てるように構成されたオーディオコントローラとを備え、
オーディオシステムは、オーディオコントローラを介して、処理チャンネルの最大数を超える数多くのオーディオソースに同時に接続されるように構成され、
オーディオシステムがオーディオ信号のアイデンティティを決定できるように、各オーディオ信号がラベル付けされ、
信号プロセッサは、処理チャンネルに割り当てられた少なくとも２つの独立したオーディオ信号のそれぞれのアイデンティティに基づいて、少なくとも２つのオーディオ信号を組み合わせる前に各処理チャンネルで少なくとも２つのオーディオ信号のそれぞれを独立して処理するときに信号プロセッサにより用いられる処理チャンネルに割り当てられた少なくとも２つのオーディオ信号のそれぞれに適当な処理設定値を自動的に選択し、
オーディオシステムは、処理チャンネルに割り当てられたオーディオ信号のアイデンティティの変更に応じて、その処理チャンネルのための処理設定値を変更するように構成されることを特徴とするオーディオシステム。
【請求項２】
適当な各処理設定値が少なくとも２つのオーディオ信号のそれぞれを周波数特性に適応させるように独立して処理するときに信号プロセッサにより用いられる１つまたはそれ以上のイコライゼーション・サブブロックのフィルタ処理特性を定義することにより、少なくとも２つのオーディオ信号のそれぞれが種別および／またはソースに基づいてイコライゼーション処理されることを特徴とする請求項１に記載のオーディオシステム。
【請求項３】
オーディオシステムは、
・少なくとも２つのオーディオ信号を生成する２つまたはそれ以上のオーディオソースと、
・２つまたはそれ以上のオーディオソースおよび／またはオーディオソースにより生成された少なくとも２つのオーディオ信号のアイデンティティを記憶するための、信号プロセッサによりアクセス可能な１つまたはそれ以上のメモリとを有することを特徴とする請求項１または２に記載のオーディオシステム。
【請求項４】
処理チャンネルのそれぞれは処理ブロックを有し、
信号プロセッサは、１つまたはそれ以上のメモリから２つまたはそれ以上の処理設定値を読み出すように構成され、
２つまたはそれ以上の処理設定値は、処理チャンネルに割り当てられたオーディオ信号を独立して処理するために、処理チャンネルのそれぞれの処理ブロックにより利用可能であることを特徴とする請求項３に記載のオーディオシステム。
【請求項５】
各処理チャンネルの処理ブロックは、一連のサブブロックを有し、
一連のサブブロックは、ダイナミック・イコライゼーション制御（ＤＥＣ）ブロック、フィルタ処理ブロック、サブウーハ抽出ブロック、遅延ブロック、電話拡張ブロック、ゲインブロック、サラウンドサウンドデコーダ、およびバンド幅拡張ブロックのうちの１つもしくはそれ以上のもの、またはこれらの組合せを有することを特徴とする請求項４に記載のオーディオシステム。
【請求項６】
各処理チャンネルの処理ブロックは、一連のフィルタサブブロックを有し、
各処理ブロックの処理設定値は、フィルタサブブロックの数、フィルタサブブロックの種別、一連のフィルタサブブロックの順序、および／またはフィルタサブブロックのフィルタ処理特性を特定することを特徴とする請求項５に記載のオーディオシステム。
【請求項７】
オーディオシステムは、複数のスピーカを有し、
少なくとも２つのオーディオ信号は、処理後、修正済オーディオ信号となり、
修正済オーディオ信号は、オーディオシステムの複数のスピーカのうちの少なくとも１つに出力されて再生される前に組み合わされることを特徴とする請求項１〜６のいずれか１に記載のオーディオシステム。
【請求項８】
オーディオコントローラは、オーディオ信号を再生させる要請から、オーディオシステムで再生されるオーディオ信号を選択し、選択されたオーディオ信号を処理チャンネルのそれぞれに割り当てるように構成されたことを特徴とする請求項１〜７のいずれか１に記載のオーディオシステム。
【請求項９】
オーディオ信号のアイデンティティは、オーディオ信号の種別、および／またはソース、および／または品質に関連する情報を含み、
アイデンティティは、オーディオ信号の種別またはフォーマットを認識し、オーディオ信号のソースを認識し、および／またはデジタルオーディオ信号のヘッダに含まれる識別子の読み取ることにより特定されることを特徴とする請求項１〜８のいずれか１に記載のオーディオシステム。
【請求項１０】
車両用オーディオシステムにおいて、少なくとも２つのオーディオ信号を処理する方法であって、
オーディオシステムは、
少なくとも２である有限の最大数の処理チャンネルを有する信号プロセッサと、
オーディオソースからのオーディオ信号を再生するようにオーディオシステムが受けた要請に応じて、複数のオーディオソースのそれぞれを信号プロセッサの独立した各処理チャンネルに動的に割り当てるように構成されたオーディオコントローラとを備え、
この方法は、
ｉ）少なくとも２つのオーディオソースから少なくとも２つの独立したオーディオ信号を受信するステップと、
ii）オーディオ信号のラベルを用いてオーディオ信号のアイデンティティを決定し、そのラベルを用いて適当な処理設定値を選択するステップと、
iii)少なくとも２つの独立したオーディオ信号のそれぞれに独立した処理チャンネルを割り当てるステップと、
iv）処理チャンネルに割り当てられた少なくとも２つのオーディオ信号のアイデンティティに基づいて、各処理チャンネルの少なくとも２つのオーディオ信号のそれぞれに適当な処理設定値を自動的に選択するステップと、
ｖ）少なくとも２つのオーディオ信号を組み合わせる前に、適当な処理設定値を用いて少なくとも２つのオーディオ信号のそれぞれを独立して処理するステップと、
vi）処理チャンネルに割り当てられたオーディオ信号のアイデンティティの変更に応じて、その処理チャンネルのための処理設定値の選択を自動的に変更するステップとを有し、
オーディオシステムは、オーディオコントローラを介して、処理チャンネルの最大数を超える数多くのオーディオソースに同時に接続されるように構成されることを特徴とする方法。
【請求項１１】
各処理設定値がオーディオシステムによりサポートされるオーディオ信号の種別および／またはソースおよび／または品質に適当な１つまたはそれ以上のイコライゼーション・サブブロックのフィルタ処理特性を定義することにより、少なくとも２つのオーディオ信号のそれぞれが、その種別および／またはソースおよび／または品質に基づいた１つまたはそれ以上のイコライゼーション処理が行われることを特徴とする請求項１０に記載の方法。
【請求項１２】
処理チャンネルのそれぞれは、処理ブロックを有し、
２つまたはそれ以上の適当な処理設定値は、処理チャンネルのそれぞれに割り当てられたオーディオ信号を独立して処理するために処理チャンネルの各処理ブロックで用いられることを特徴とする請求項１０または１１に記載の方法。
【請求項１３】
一連のサブブロックを有する各処理チャンネルの処理ブロックを設定するステップをさらに有し、
一連のサブブロックは、ダイナミック・イコライゼーション制御（ＤＥＣ）ブロック、フィルタ処理ブロック、サブウーハ抽出ブロック、遅延ブロック、電話拡張ブロック、ゲインブロック、サラウンドサウンドデコーダ、およびバンド幅拡張ブロックのうちの１つもしくはそれ以上のもの、またはこれらの組合せを有することを特徴とする請求項１２に記載の方法。
【請求項１４】
処理ブロックを設定するステップは、フィルタサブブロックの数、フィルタサブブロックの種別、一連のフィルタサブブロックの順序、および／またはフィルタサブブロックのフィルタ処理特性を特定する処理ブロックのために選択された処理設定値に基づいて、一連のフィルタサブブロックを配置するステップを有することを特徴とする請求項１３に記載の方法。
【請求項１５】
請求項１〜９のいずれか１に記載のオーディオシステムに利用される装置であって、
この装置は、処理チャンネルを有する信号プロセッサと、オーディオコントローラと、信号プロセッサで実行可能なプログラムとを有し、
プログラムが装置で実行されるとき、装置が請求項１０〜１４のいずれか１に記載の方法を実行するように構成されたことを特徴とする装置。
【請求項１６】
複数のオーディオソースに接続されるように構成され、
オーディオソースとの接続は、有線接続および無線接続の一方または組み合わせにより実施されることを特徴とする請求項１５に記載の装置。
【請求項１７】
請求項１〜９のいずれか１に記載のオーディオシステムに利用されるプログラムであって、
プログラムがオーディオシステムで実行されるとき、オーディオシステムが請求項１０〜１４のいずれか１に記載の方法を実行することを特徴とするプログラム。
【請求項１８】
オーディオシステムに付随する１つまたはそれ以上のメモリからデータを読み出すことにより、またはプログラムに含まれる１つまたはそれ以上の参照テーブル、補助プログラム、もしくはオーディオシステムに付随する１つまたはそれ以上のメモリに保持されたデータを参照することにより、処理チャンネルに割り当てられたオーディオ信号の種別および／またはソースに適当な処理設定値を取得するように構成されたことを特徴とする請求項１７に記載のプログラム。
【請求項１９】
請求項１〜９のいずれか１に記載のオーディオシステムを備えた車両。
【請求項２０】
複数の内部オーディオソースおよび／または複数の外部オーディオソースのためのポートが車両内のネットワークに接続され、
オートコントローラが、内部オーディオソースまたは外部オーディオソースからのオーディオ信号を再生する要請の１つまたはそれ以上のもののうち許容される要請を選択し、許容された要請に付随するオーディオ信号を、オーディオシステムの信号プロセッサの独立した処理チャンネルに割り当てるためにネットワークに接続されることを特徴とする請求項１９に記載の車両。
【発明の詳細な説明】
【技術分野】
【０００１】
本発明は、オーディオシステムのための装置、および種類の異なるオーディオ信号を処理し、再生するオーディオシステムに関し、特に、これに限定するものではないが、車両に搭載されるオーディオシステムのための装置およびオーディオシステムに関する。本発明に係る態様は、オーディオシステム、装置、車両、プログラム、オーディオ信号を処理する方法に関する。
【背景技術】
【０００２】
数多くの車両は、車室（車両居室）内で音を再生できるオーディオシステムを有する。車室内で再生されるオーディオ（音声）の種類は、バックグラウンドソース（背景音源）とフォアグランドソース（前景音源）に分類される。バックグラウンドソースは、典型的には、ＡＭ／ＦＭラジオ、ＭＰ３プレーヤ、またはＣＤプレーヤ等から背景で連続的に再生される音楽等の娯楽系音源である。フォアグランドソースは、典型的には、必要に応じてドライバに情報を提供するために、断続的にまたは時々に出力される、ナビゲーションシステム、電話の呼び出し音、または駐車支援システムからのビープ音等の情報系音源である。
【０００３】
オーディオシステムが出力する音質は、入力音声信号の質、音が再生されている際の周辺環境、同時に出力されるオーディオチャンネルの数、および同時に出力されるオーディオ信号の種別を含む数多くのファクタに依存する。現代のオーディオシステムは、出力された音の質を劣化させるファクタを補償するために、１つまたはそれ以上の複合オーディオ信号に関する単一のイコライゼーションを用いる。
【０００４】
現在の数多くのオーディオシステムにおいて、入力音声信号を処理するためにオーディオシステムに採用される単一のイコライゼーションは、バックグラウンドソースのみを最適化する設定値を用いる。たとえば、バックグラウンドソースからの音声信号（たとえばＣＤからの音楽）が現在のオーディオシステムに出力されると同時に、フォアグランドソースからのオーディオ信号（駐車支援システムからのビープ音等）を出力する必要がある場合、フォアグランドオーディオ信号がバックグラウンドオーディオ信号と複合（混合）され、ＣＤオーディオ信号のためのイコライゼーション設定値を用いて、複合オーディオ信号が平準化（イコライズ）される。これは、ＣＤオーディオ信号のためのイコライゼーション設定値が駐車支援ビープ音を平準化しないこともあるので問題となり得る。実際、いくつかの実施形態では、フォアグランド音声が最適化されないだけでなく、適用されるイコライゼーションにより、（ときには致命的なレベルまで）劣化する場合がある。たとえば、駐車センサは、駐車しようとしている車両の行路上で接近する障害物をドライバ警告するために特定周波数を有するビープ音を出力することがある。バックグラウンド特定の周波数範囲において不要なピーク値を有するＣＤオーディオ信号を補償するために、オーディオ信号のためのイコライゼーション設定値がその同一の特定の周波数に対するフィルタを有する場合がある。したがって、バックグラウンド音声およびフォアグランド音声がともに、ＣＤオーディオ信号に固有のイコライゼーション設定値を適用した場合、フォアグランド音声が満足できるレベルまで小さくなり、または完全に聞こえなくなることがある。
【０００５】
さらに現在のオーディオシステムは、同時に出力できるオーディオ信号の数に制限があり、サポート（支援）できるオーディオソースの数に制約がある。典型的には、現在の高仕様の車両用オーディオシステムは、１つのバックグラウンド信号と同時に再生するフォアグランド信号を３つに制限している。これらのオーディオシステムにおいて、バックグラウンドソース用のイコライゼーションが、バックグラウンドソース信号と３つのフォアグランドソース信号からなる複合オーディオ信号に適用されることに起因して、バックグラウンドソース信号とフォアグランドソース信号を組み合わせたものは、聞こえにくくすることがある。
【０００６】
さらに、車両ユーザに情報信号を提供する必要性のあるデバイスが数多くなり、現在のオーディオシステムは、数多くのオーディオソースからの高品質音声を同時に出力する要請を満足させるものではない。
【０００７】
さらに、現在のオーディオシステムは、一度にただ１つのバックグラウンドオーディオソースを再生するように制限されている。このことは、典型的には、車両ドライバはラジオとＣＤを同時に聞きたいとは思わないので十分である。ただし、乗員娯楽のための要請が高まり、いくつかの車両には、たとえば後部座席スクリーンおよびＤＶＤプレーヤが設けられている。現在の車両搭載オーディオシステムは、２つ以上のバックグラウンドオーディオ音声を再生するという要請に適合していない。
【０００８】
複数のオーディオ信号をサポート（支援）し、同時に高品質で再生するという、増大しつつある要請に応えることができる改善されたオーディオシステムに対する要望がある。
【０００９】
このような背景技術に鑑み、本発明はなされたものである。本発明に係る実施形態は、オーディオシステムの分野における改善を提供しようとするものである。本発明は、車両用に限定するものではないが、たとえば（デジタルおよび／またはアナログの）ラジオ、ＣＤプレーヤ、ＤＶＤプレーヤ、ＭＰ３プレーヤ、携帯電話、衛星ナビゲーションシステム、交通案内デバイス、ならびに車両警告音を含む、ドライバおよび乗員が聴きたいと思う、オーディオ信号の増大しつつある数および種類に起因して、特に車両用に適している。本発明は、車両以外の用途にも採用することができ、たとえば同様に数多くの異なる種類のオーディオ信号があり、単一のオーディオシステムを介してすべての信号を再生することが好ましい住宅等の建物にも適用することができる。本発明は、たとえば電話、スマートフォン、パソコン、タブレット端末、ゲーム機、携帯端末、コンソール、家庭用娯楽オーディオ／ビジュアルシステム等、複数のオーディオ信号を制御し、再生するその他のデバイスにおいて有用に用いることができる。
【発明の概要】
【００１０】
本発明に係る態様は、オーディオシステム、装置（増幅器ともいう。）、オーディオを処理する方法、プログラム、車両、または添付クレームでクレームされたその他のデバイスを提供する。
【００１１】
保護を求めようとする本発明に係る第１の態様によれば、少なくとも２つの処理チャンネルを有する信号プロセッサを備えた、オーディオ信号を再生するためのオーディオシステムが提供され、信号プロセッサは、少なくとも２つの独立したオーディオ信号を受信し、少なくとも２つの処理チャンネルに割り当てられた少なくとも２つの独立したオーディオ信号のそれぞれのアイデンティティに基づいて、少なくとも２つのオーディオ信号を組み合わせる前に各処理チャンネルで少なくとも２つのオーディオ信号のそれぞれを独立して処理するときに信号プロセッサにより用いられる少なくとも２つの処理チャンネルに割り当てられた少なくとも２つのオーディオ信号のそれぞれに適当な処理設定値を自動的に選択し、処理チャンネルに割り当てられたオーディオ信号のアイデンティティの変更に応じて、その処理チャンネルのための処理設定値を変更するように構成され、少なくとも２つのオーディオ信号は、そのアイデンティティをオーディオシステムが特定できるようにラベルを付して分類され、オーディオシステムは、ラベルを用いて適当な処理設定値を選択し、オーディオシステムは、少なくとも２つのオーディオソースのそれぞれを信号プロセッサの少なくとも２つの処理チャンネルのうちの一方に接続するように構成されたオーディオコントローラを有し、オーディオシステムは、オーディオソースからのオーディオ信号を再生させる要請を受信したことに呼応して、オーディオソースを信号プロセッサの処理チャンネルに動的に割り当てるように構成される。
【００１２】
このようにオーディオ信号は、リアルタイムで処理チャンネルに動的に割り当て可能であり、処理チャンネルのための設定値を処理チャンネルに対してリアルタイムで動的に割り当てることができる。すなわち、数多くの潜在的なオーディオソースから選択されたオーディオソースを再生する要請に応答するように、オーディオシステムをリアルタイムで再設定（再構成）することができ、環境的ファクタを考慮して、選択された各オーディオ信号の品質を最適化するように各オーディオ信号に対する処理を調整することができる。
【００１３】
任意的には、適当な各処理設定値が少なくとも２つのオーディオ信号のそれぞれを周波数特性に適応させるように独立して処理するときに信号プロセッサにより用いられる１つまたはそれ以上のイコライゼーション・サブブロックのフィルタ処理特性を定義することにより、少なくとも２つのオーディオ信号のそれぞれが種別および／またはソースに基づいてイコライゼーション処理される。
【００１４】
任意的には、オーディオシステムは、少なくとも２つのオーディオ信号を生成する２つまたはそれ以上のオーディオソースと、２つまたはそれ以上のオーディオソースおよび／またはオーディオソースにより生成された少なくとも２つのオーディオ信号のアイデンティティを記憶するための、信号プロセッサによりアクセス可能な１つまたはそれ以上のメモリとを有する。
【００１５】
追加的または択一的に、少なくとも２つの処理チャンネルのそれぞれは処理ブロックを有し、信号プロセッサは、１つまたはそれ以上のメモリから２つまたはそれ以上の処理設定値を読み出すように構成され、２つまたはそれ以上の処理設定値は、少なくとも２つの処理チャンネルに割り当てられたオーディオ信号を独立して処理するために、少なくとも２つの処理チャンネルのそれぞれの処理ブロックにより利用可能である。
【００１６】
任意的には、各処理チャンネルの処理ブロックは、一連のサブブロックを有し、一連のサブブロックは、ダイナミック・イコライゼーション制御（ＤＥＣ）ブロック、フィルタ処理ブロック、サブウーハ抽出ブロック、遅延ブロック、電話拡張ブロック、ゲインブロック、サラウンドサウンドデコーダ、およびバンド幅拡張ブロックのうちの１つもしくはそれ以上のもの、またはこれらの組合せを有する。
【００１７】
各処理チャンネルの処理ブロックは、一連のフィルタサブブロックを有し、各処理ブロックの処理設定値は、フィルタサブブロックの数、フィルタサブブロックの種別、一連のフィルタサブブロックの順序、および／またはフィルタサブブロックのフィルタ処理特性を特定する。
【００１８】
任意的には、オーディオシステムは、複数のスピーカを有してもよく、少なくとも２つのオーディオ信号は、処理後、修正済オーディオ信号となり、修正済オーディオ信号は、オーディオシステムの複数のスピーカのうちの少なくとも１つに出力されて再生される前に組み合わされる。
【００１９】
任意的には、信号プロセッサは、有限の最大数の処理チャンネルを有し、オーディオコントローラを介してオーディオシステムに接続されるオーディオソースの数は、最大数の処理チャンネルを超える。
【００２０】
任意的には、オーディオコントローラは、オーディオ信号を再生させる要請から、オーディオシステムで再生されるオーディオ信号を選択し、選択されたオーディオ信号を少なくとも２つの処理チャンネルのそれぞれに割り当てるように構成される。
【００２１】
任意的には、オーディオ信号のアイデンティティは、オーディオ信号の種別、および／またはソース、および／または品質に関連する情報を含み、アイデンティティは、オーディオ信号の種別またはフォーマットを認識し、オーディオ信号のソースを認識し、および／またはデジタルオーディオ信号のヘッダに含まれる識別子の読み取ることにより特定される。
【００２２】
保護を求めようとする本発明に係る第２の態様によれば、少なくとも２つのオーディオ信号を処理する方法が提供され、この方法は、
ｉ）少なくとも２つの独立したオーディオ信号を受信するステップと、
ii）少なくとも２つの独立したオーディオ信号を少なくとも２つの処理チャンネルの一方に割り当てるステップと、
iii)少なくとも２つの処理チャンネルに割り当てられた少なくとも２つのオーディオ信号のアイデンティティに基づいて、各処理チャンネルの少なくとも２つのオーディオ信号のそれぞれに適当な処理設定値を自動的に選択するステップと、
iv）少なくとも２つのオーディオ信号を組み合わせる前に、適当な処理設定値を用いて少なくとも２つのオーディオ信号のそれぞれを独立して処理するステップと、
ｖ）処理チャンネルに割り当てられたオーディオ信号のアイデンティティの変更に応じて、その処理チャンネルのための処理設定値の選択を自動的に変更するステップと、
vi）少なくとも２つのオーディオ信号のラベルを用いて、そのオーディオ信号のアイデンティティを特定するステップと、
vii)ラベルを用いて適当な処理設定値を選択するステップと、
viii)少なくとも２つのオーディオソースのそれぞれを信号プロセッサの少なくとも２つの処理チャンネルのうちの一方に接続するようにオーディオシステムのオーディオコントローラを設定するステップと、
ix）オーディオシステムがオーディオソースからのオーディオ信号を再生させる要請を受信したことに呼応して、オーディオソースを信号プロセッサの処理チャンネルに動的に割り当てるステップとを有するものである。
【００２３】
任意的には、この方法は、少なくとも２つのオーディオ信号の種別および／またはソースによりオーディオ信号を特定するステップをさらに有し、各処理設定値がオーディオシステムによりサポートされるオーディオ信号の種別および／またはソースおよび／または品質に適当な１つまたはそれ以上のイコライゼーション・サブブロックのフィルタ処理特性を定義することにより、少なくとも２つのオーディオ信号のそれぞれが、その種別および／またはソースおよび／または品質に基づいた１つまたはそれ以上のイコライゼーション処理が行われる。
【００２４】
任意的には、少なくとも２つ処理チャンネルのそれぞれは、処理ブロックを有してもよく、２つまたはそれ以上の適当な処理設定値は、少なくとも２つの処理チャンネルのそれぞれに割り当てられたオーディオ信号を独立して処理するために少なくとも２つの処理チャンネルの各処理ブロックで用いられる。
【００２５】
追加的または択一的に、少なくとも２つのオーディオ信号を処理するこの方法は、一連のサブブロックを有する各処理チャンネルの処理ブロックを設定するステップをさらに有してもよく、一連のサブブロックは、ダイナミック・イコライゼーション制御（ＤＥＣ）ブロック、フィルタ処理ブロック、サブウーハ抽出ブロック、遅延ブロック、電話拡張ブロック、ゲインブロック、サラウンドサウンドデコーダ、およびバンド幅拡張ブロックのうちの１つもしくはそれ以上のもの、またはこれらの組合せを有する。
【００２６】
任意的には、処理ブロックを設定するステップは、フィルタサブブロックの数、フィルタサブブロックの種別、一連のフィルタサブブロックの順序、および／またはフィルタサブブロックのフィルタ処理特性を特定する処理ブロックのために選択された処理設定値に基づいて、一連のフィルタサブブロックを配置するステップを有してもよい。
【００２７】
保護を求めようとする本発明に係るさらに別の態様によれば、関連する上記段落に記載のオーディオシステムに利用され、または関連する上記段落に記載の方法を実行するための装置が提供される。この装置は、少なくとも２つの処理チャンネルを有する信号プロセッサと、オーディオプロセッサと、装置で実行可能なプログラムとを有し、装置は、プログラムが信号プロセッサで実行されるとき、
ｉ）少なくとも２つの処理チャンネルの独立したチャンネルで少なくとも２つの独立したオーディオ信号を受信し、
ii）少なくとも２つの処理チャンネルに割り当てられた少なくとも２つのオーディオ信号のアイデンティティに基づいて、少なくとも２つのオーディオ信号のそれぞれに対する適当な処理設定値を自動的に選択し、
iii)少なくとも２つのオーディオ信号を組み合わせる前に、選択された処理設定値を用いて、少なくとも２つのオーディオ信号のそれぞれを独立して処理し、
iv）処理チャンネルに割り当てられたオーディオ信号のアイデンティティの変更に応じて、その処理チャンネルのための処理設定値の選択を自動的に変更するように構成され、
ｖ）少なくとも２つのオーディオ信号のラベルを用いて、そのオーディオ信号のアイデンティティを特定し、
vi)ラベルを用いて適当な処理設定値を選択し、
vii)少なくとも２つのオーディオソースのそれぞれを信号プロセッサの少なくとも２つの処理チャンネルのうちの一方に接続するようにオーディオシステムのオーディオコントローラを設定し、
viii）オーディオシステムがオーディオソースからのオーディオ信号を再生させる要請を受信したことに呼応して、オーディオソースを信号プロセッサの処理チャンネルに動的に割り当てるように構成される。
【００２８】
任意的には、この装置は、複数のオーディオソースに接続されるように構成され、オーディオソースとの接続は、有線接続および無線接続の一方または組み合わせにより実施してもよい。
【００２９】
保護を求めようとする本発明に係るさらに別の態様によれば、関連する上記段落に記載のオーディオシステムに利用され、または関連する上記段落に記載の方法を実行するためのプログラムが提供される。このプログラムがオーディオシステムで実行されるとき、信号プロセッサが、
ｉ）少なくとも２つの処理チャンネルの独立したチャンネルで少なくとも２つの独立したオーディオ信号を受信し、
ii）少なくとも２つの処理チャンネルに割り当てられた少なくとも２つのオーディオ信号のアイデンティティに基づいて、少なくとも２つのオーディオ信号のそれぞれに対する適当な処理設定値を自動的に選択し、
iii)選択された処理設定値を用いて、少なくとも２つのオーディオ信号のそれぞれを独立して処理し、
iv）処理チャンネルに割り当てられたオーディオ信号のアイデンティティの変更に応じて、その処理チャンネルのための処理設定値の選択を自動的に変更し、
ｖ）少なくとも２つのオーディオ信号のラベルを用いて、そのオーディオ信号のアイデンティティを特定し、
vi)ラベルを用いて適当な処理設定値を選択し、
vii)少なくとも２つのオーディオソースのそれぞれを信号プロセッサの少なくとも２つの処理チャンネルのうちの一方に接続するようにオーディオシステムのオーディオコントローラを設定し、
viii）オーディオシステムがオーディオソースからのオーディオ信号を再生させる要請を受信したことに呼応して、オーディオソースを信号プロセッサの処理チャンネルに動的に割り当てるように構成される。
【００３０】
任意的には、このプログラムは、オーディオシステムに付随する１つまたはそれ以上のメモリからデータを読み出すことにより、またはプログラムに含まれる１つまたはそれ以上の参照テーブル、補助プログラム、もしくはオーディオシステムに付随する１つまたはそれ以上のメモリに保持されたデータを参照することにより、処理チャンネルに割り当てられたオーディオ信号の種別および／またはソースに適当な処理設定値を取得するように構成される。
【００３１】
任意的には、複数の内部オーディオソースおよび／または複数の外部オーディオソースのためのポートが車両内のネットワークに接続され、オートコントローラが、内部オーディオソースまたは外部オーディオソースからのオーディオ信号を再生する要請の１つまたはそれ以上のもののうち許容される要請を選択し、許容された要請に付随するオーディオ信号を、オーディオシステムの信号プロセッサの独立した処理チャンネルに割り当てるためにネットワークに接続される。内部オーディオソースは、車両内に搭載されたオーディオソースを意味し、たとえば車内ＣＤプレーヤ、車内ＤＶＤプレーヤ、および車内ラジオを意味するものであってもよい。外部オーディオソースは、オーディオシステムに接続可能な携帯デバイスを意味し、たとえばＭＰ３プレーヤ、iTunes（登録商標）プレーヤ、および携帯可能ラジオを意味するものであってもよい。
【００３２】
本願の範疇において、上記段落、クレーム、および／または以下の明細書および図面に記載された、さまざまな態様、実施形態、実施例、および択一例、特に個々の特徴物は、独立してまたは組み合わせて採用することができる。たとえば１つの実施形態に関連して説明された特徴物は、その特徴物が矛盾するものでなければ、すべての実施形態に適用することができる。
【図面の簡単な説明】
【００３３】
添付図面を参照しながら、ほんの一例としてのみ、本発明に係る実施形態について以下説明する。
【図１】オーディオシステムを備えた車両居室の概略図である。
【図２】図１のオーディオシステムの一部を示すブロック図である。
【図３】図１のオーディオシステムが任意的に実行するステップのフロー図である。
【図４】本発明に係る別の実施形態によるオーディオシステムの一部を示すブロック図である。
【発明を実施するための形態】
【００３４】
本発明に係るオーディオシステムおよびこれを備えた車両の特別な実施形態について、以下詳細に説明する。理解されるように、開示された実施形態は、本発明の特定の態様を実施できる単なる具体例であって、本発明の具現化可能なすべてを網羅的に列挙するものではない。理解されるように、実際、ここに開示されたオーディオシステムおよびこれを備えた車両は、さまざまな変形例および変更例で具現化することができる。図面は必ずしも同一縮尺で記載したものではなく、特定の構成部品の詳細を明確にするために誇張し、最小限に簡略化して表したものである。本発明の開示内容を明確にするために、既知の構成部品、材料、または方法ついては、必ずしも詳細に記載していない。構造上および機能上の任意の特定の詳細事項は、限定的に解釈されるものではなく、単にクレームの根拠として、本発明をさまざまに採用し得ることを当業者に教示するための根拠として理解すべきである。
【００３５】
図１は、１つの具体的環境すなわちリスニングスペース５における本発明に係る実施形態のオーディオシステム１１を示す。図１において、具体的環境５は、車室（車両居室）である。その他の想定される用途では、環境５は、住居またはオフィス等の建物内の部屋であってもよいし、オーディオシステム１１が、たとえば携帯スマートフォン、ラップトップ、またはゲームコンソール等の携帯デバイスとして配置される屋外であってもよい。オーディオシステム１１は、１つまたはそれ以上のオーディオソース１’，２’，３’からオーディオコンテンツを提供できる任意のシステムであってもよい。図１に示すオーディオシステム１１は、３つのオーディオソース１’，２’，３’を有する。図１に示す実施形態では、オーディオシステム１１は、ｉＰａｄ（登録商標）またはＭＰ３プレーヤ等のメディアデバイス１’、衛星ナビゲーションシステム２’、およびコンパクトディスクプレーヤ３’を含む。その他の想定される実施形態では、オーディオシステム１１は、以下の具体例のうち２つまたはそれ以上の複数のオーディオソースを含むものであってもよく、たとえばＡＭ／ＦＭラジオ、デジタルラジオ（ＤＡＢ）、ＣＤプレーヤ、ＭＰ３プレーヤ、衛星ナビゲーションシステム、光ディスクプレーヤ（ブルーレイディスク（登録商標）プレーヤ、ＤＶＤプレーヤ、チャイナブルーレイディスク等）、ビデオゲームプレーヤ、インターネット端末、カメラ、ビデオカメラ、タッチカメラ、ヘッドアップディスプレイ、電話、警告システム、媒体制御システム、変換支援デバイス、メッセージおよび／または電子メール警告システム、および駐車支援システム（これらの具体例は、オーディオシステム１１がサポートする非排他的リストである。）が含まれる。オーディオシステム１１は、１つまたはそれ以上のスピーカ６０ａ，６０ｂ、オーディオ制御ユニット６２、および信号プロセッサ６４を有する。
【００３６】
オーディオ制御ユニット６２は、さまざまな種類の複数のオーディオ信号および／またはビデオ信号を（有線接続または無線接続で）受信できるネットワーク制御可能な演算デバイスであってもよい。オーディオ制御ユニット６２は、メモリと協働して、メモリ内に記憶された任意的にはプログラムまたはアルゴリズムの態様を有する命令を実行することができる。命令は、オーディオシステム１１のいくつかの機能を提供することができる。信号プロセッサ６４は、たとえばコンピュータプロセッサまたはデジタル信号プロセッサ等のオーディオおよび／またはビデオ信号を処理することができる任意の演算デバイスであってもよい。信号プロセッサ６４は、オーディオ制御ユニット６２に統合された一部であってもよいし、別体のデバイスであってもよい。信号プロセッサ６４は、メモリと協働して、メモリ内に記憶された任意的にはプログラムまたはアルゴリズムの態様を有する命令を実行するように動作する。命令は、オーディオシステム１１のいくつかの機能を提供することができる。択一的にまたは追加的には、信号プロセッサ６４は、オーディオ制御ユニット６２のメモリと協働して動作することができる。信号プロセッサ６４は、２つまたはそれ以上の処理チャンネル１０’，２０’，３０’を有していてもよい。追加的または択一的には、オーディオシステム１１は、２つまたはそれ以上の信号プロセッサ６４を有していてもよい。オーディオ制御ユニット６２および信号プロセッサ６４の一方または両方に設けられたメモリは、数多くの異なる態様を有し、たとえば磁気メモリ、電子メモリ、および仮想メモリ等の複数のデータ記憶デバイスから構成されてもよい。その他の適当な種類のメモリを用いてもよい。
【００３７】
スピーカ６０ａ，６０ｂは、電気的なオーディオ信号を可聴的な音声に変換可能な任意の形態を有するデバイスであってもよい。スピーカ６０ａ，６０ｂは、プライマリ空間スピーカ（左側（Ｌ）、右側（Ｒ）、前方左側（ＦＬ）、前方中央（ＦＣ）、前方右側（ＦＲ）、後方左側（ＲＬ）、後方中央（ＲＣ）、後方右側（ＲＲ））のヘッドフォン、サブウーハスピーカ、およびサラウンドサウンドスピーカのうちの１つまたはそれ以上であってもよい。信号プロセッサ６４および／またはオーディオ制御ユニット６２の間の通信は、有線接続および／または無線接続（Wi-Fi（登録商標）、ブルートゥース（登録商標）、赤外線、およびホワイトファイヤ（登録商標））を介したものであってもよい。
【００３８】
動作時、オーディオ信号１００’，２００’，３００’がオーディオソース１’，２’，３’により生成され、オーディオ制御ユニット６２により制御され、信号プロセッサ６４の独立した処理チャンネル１０’，２０’，３０’に出力され、１つまたはそれ以上のスピーカ６０ａ，６０ｂを駆動するために利用される。オーディオ信号１００’，２００’，３００’への出力は、処理チャンネル１０’，２０’，３０’のうちの利用可能性、およびオーディオ信号１００’，２００’，３００’の優先レートを含むさまざまなファクタにより決定される。すなわちオーディオ信号１００’は、処理チャンネル１０’，２０’，３０’のうちの任意の１つに出力され、特別な処理チャンネルに限定して出力する必要はない。
【００３９】
オーディオシステム１１のスピーカ６０ａ，６０ｂは、独立し、おそらく固有のオーディオ出力信号（１００’Ｌｐ＋２００’Ｌｐ；１００’Ｒｐ＋２００’Ｒｐ）を信号プロセッサ６４から受信できる複数のオーディオトランスデューサを有していてもよい。したがってオーディオシステム１１は、任意の好適な数のスピーカを用いて、モノラル、ステレオ、またはサラウンドの音声を再生するように動作することができる。したがって、オーディオ信号または１つのオーディオ信号という場合、複数のスピーカ（ウーハスピーカ、サブウーハスピーカ、ツィータスピーカ）に対して意図された独立したチャンネルを有するモノラルオーディオ信号および／またはオーディオ信号を意味する。オーディオシステム１１は、異なるオーディオ出力信号を異なるスピーカに出力するように構成されている。たとえば、個別の、独立した、そして任意的に異なるオーディオ出力信号は、車両居室内のすべてのプライマリスピーカ、前方スピーカのみ、後方スピーカのみ、前方左側スピーカのみ、前方右側スピーカのみ、後方左側スピーカのみ、後方右側スピーカのみ、および／または１つまたはそれ以上のハンドセットまたはヘッドフォンに出力してもよい。換言すると、任意的には、オーディオシステム１１は、フルレンジのオーディオチャンネルの数をｘとし、限定的周波数／低周波数効果チャンネル（ＬＦＥ）の数をｙとしたとき、ｘ．ｙの成分または信号を有するマルチチャンネルオーディオ信号をサポートするように構成することができ、たとえば２．１（２つのフルレンジのオーディオチャンネルと１つの低周波オーディオチャンネル）、５．１（５つのフルレンジのオーディオチャンネルと１つの低周波オーディオチャンネル）、および７．１（７つのフルレンジのオーディオチャンネルと１つの低周波オーディオチャンネル）の成分または信号を有するマルチチャンネルオーディオ信号をサポートするように構成することができる。
【００４０】
オーディオ制御ユニット６２は、ネットワークを介して直接的にオーディオ信号１００’，２００’，３００’を受信するように構成してもよい。ネットワークは、たとえばＬＡＮ（ローカルネットワーク）および／またはＷＡＮ（ワイドエリアネットワーク）であってもよい。オーディオシステム１１が、たとえばインターネットアクセス、音楽格納クラウドへのアクセス、その他の仮想的なオーディオ格納システムへのアクセス、およびウェブ系ナビゲーションシステム等の任意の他のウェブ情報へのアクセスを可能にする遠隔コンピュータに接続されているとき、ＷＡＮ（ワイドエリアネットワーク）を利用することができる。オーディオ制御ユニット６２は、２つまたはそれ以上のオーディオソースから受信した複数のオーディオ信号１００’，２００’，３００’のうち、いずれの信号を同時にオーディオシステム１１から出力でき、出力する必要があるか判断するような命令を実行するように構成されている。
【００４１】
その他の実施形態では、オーディオシステム１１が相当多数の（たとえば６４前後の）オーディオソースをサポートすることができることが想定され、そのオーディオソースは、たとえば電話制御ユニット、ヘッドアップディスプレイ、フラットスクリーン、タッチスクリーン、カメラ、カードリーダ、マルチモーダルＨＭＩ（ヒューマン・マシン・インターフェイス）デバイス、光ドライブ（ＤＶＤプレーヤ、ブルーレイディスク（登録商標）プレーヤ、チャイナブルーレイディスク）、携帯端末に接続するためのＡＶＩＯ（オーディオ・ビジュアル入出力）パネル、車両診断システム、駐車支援システム、交通ナビゲーションシステム、交通アナウンスシステム、ＣＤプレーヤ、ＡＭ／ＦＭラジオ、およびデジタルラジオのうちの１つまたはそれ以上であってもよい。追加的で例示的かつ非限定的な具体例を図４に示し、ここではオーディオシステムは、７つ以下のオーディオ信号を同時に出力するように構成され、多数の（たとえば数百もの）入力オーディオ信号のうちから出力オーディオ信号を選択することができる。オーディオシステムは、有限の最大数のオーディオ信号をスピーカに出力することができ、実質的により数多くのオーディオソースをサポートし、接続することができる。
【００４２】
スピーカ６０ａ，６０ｂの制約に起因して、オーディオ信号１００’，２００’，３００’は、通常、スピーカまたはヘッドフォンから人間の可聴域において、たとえばノイズ、クロスオーバー、遅延、および歪みにより劣化することなく均一に再生されることはない。スピーカ６０ａ，６０ｂの制約とは、オーディオトランスデューサがオーディオ信号のスペクトル幅において均一かつ完全に音声を再生しないことに起因するもの、および／または（たとえば生成されたオーディオ信号を事前に増幅（プレブースト）し、フィルタ処理し、または圧縮する）オーディオソースのタイプの処理効果に起因するものである。さらに、オーディオ信号がオーディオソースからスピーカ６０ａ，６０ｂに至るまでに出力される媒体がすべての周波数を均一レートで搬送しないので、信号の音響スペクトルに対する効果に対して補償する必要がある。
【００４３】
したがって信号プロセッサ６４は、任意的に、スピーカのトランスデューサの性能に合致するようにオーディオ信号の特別のコンテンツを制限し、任意的に、スピーカのスペクトル特異性を補償し、任意的に、（任意的に、特定周波数におけるオーディオ信号の振幅を増大および／または減少させることにより）オーディオソースのスペクトル特異性を補償するように出力する。さらに信号プロセッサ６４は、オーディオ信号が出力される環境スペースすなわちリスニングスペースの音響特性に対して補償するための任意的な機能を有する。オーディオ信号１００’，２００’，３００’がオーディオソース１’，２’，３’から信号プロセッサ６４のオーディオチャンネル１０’，２０’，３０’に出力されたとき、信号プロセッサ６４は、オーディオ信号１００’，２００’，３００’を処理する機能を実行する１つまたはそれ以上の処理デバイスを有していてもよい。
【００４４】
信号プロセッサ６４は、複数の処理チャンネル１０’，２０’，３０’を有し、各処理チャンネルは、オーディオ制御ユニット６２により割り当てられたオーディオ信号１００’，２００’，３００’について特定の処理を実行することができるように動的に再設定することができる。オーディオシステム１１の各処理チャンネル１０’，２０’，３０’は、それぞれ処理ブロック５１’，５２’，５３’を有する。各処理ブロック５１’，５２’，５３’は（任意的には１つまたはそれ以上のサブブロックで構成され）、一連の機能または処理を実行し、１つもしくはそれ以上のフィルタまたは一群のフィルタを有し、フィルタは、有限インパルス応答（ＦＩＲ）フィルタ、無限インパルス応答（ＭＲ）フィルタ、および／またはサブブロックに含まれる遅延ブロック、ゲインブロック、マトリックスエンコーダ／デコーダ、バンド幅拡張器および混合器等の他の機能フィルタのうちの１つもしくはそれ以上のフィルタまたはその組み合わせからなる。各処理ブロック５１’，５２’，５３’により実行される一連の機能または処理は、一群の処理設定値１２’，２１２’，３１２’により定義することができる。処理設定値１２’，２１２’，３１２’は、信号プロセッサのメモリ６６および／またはオーディオ制御ユニット６２に付随するメモリ内に記憶される。異なるオーディオソース１’，２’，３’からのオーディオ信号１００’，２００’，３００’が処理チャンネル１０’，２０’，３０’に適用される毎に、任意の処理チャンネル１０’，２０’，３０’の任意の処理ブロック５１’，５２’，５３’が処理設定値１２’，２１２’，３１２’を用いて、任意の処理チャンネル１０’，２０’，３０’の任意の処理ブロック５１’，５２’，５３’が構成される。各処理ブロック５１’，５２’，５３’の処理設定値１２’，２１２’，３１２’は、処理チャンネル１０’，２０’，３０’に割り当てることができるオーディオ信号１００’，２００’，３００’の種類に対して特別に構成されるため、オーディオシステム１１は、これによりサポートされる各種のオーディオ信号１００’，２００’，３００’および／またはオーディオソース１’，２’，３’に適した、すなわちこれらに調整された処理設定値１２’，２１２’，３１２’を記憶し、アクセスすることができる。処理設定値１２’，２１２’，３１２’は、信号プロセッサ６４および／またはオーディオ制御ユニット６２に付随する１つまたはそれ以上のメモリに任意的に記憶され、オーディオシステム１１を再設定するように更新および／または変更することができるため、オーディオシステム１１は、新しい種類のオーディオ信号のおよび／または新しいオーディオソースをサポートすることができる。
【００４５】
図１に示す実施例において、オーディオ制御ユニット６２は、オーディオ信号１００’，２００’を出力するリクエストを許可した。信号プロセッサ６４は、オーディオ信号１００’，２００’を処理するように構成される。これを実行するために、信号プロセッサ６４は、許可されたオーディオ信号１００’，２００’が割り当てられた各処理チャンネル１０’，２０’の処理ブロック５１’，５２’に適当な処理設定値１２’，２１２’を割り当てるように構成される。追加的または択一的に、オーディオ制御ユニット６２は、各処理チャンネル１０’，２０’の処理ブロック５１’，５２’に（オーディオ信号１’，２’に適した）処理設定値１２’，２１２’を割り当てる。いくつかの実施形態では、オーディオ制御ユニット６２は、許可されたオーディオ信号１’，２’を処理チャンネル１０’，２０’のそれぞれの一方に割り当てた直後に、適当な処理設定値の選択を実行するように構成される。択一的には、オーディオ制御ユニット６２および／または信号プロセッサ６４は、新しいオーディオ信号１００’，２００’が割り当てられた処理チャンネル１０’，２０’の処理ブロック５１’，５２’に対し、これらのオーディオ信号１００’，２００’を特定し、適当な設定値１２’，２１２’を特定するように信号出力する。処理ブロック５１’，５２’，５３’は、適当な処理設定値をメモリから直接的に決定し、見出し、読み取るように構成される。信号プロセッサ６４は、任意的に、これに付随する信号プロセッサメモリ６６から、必要とされる適当な処理設定値１２’，２１２’をダウンロードまたは読み取る。信号プロセッサ６４が実行する命令は、任意的には、信号プロセッサメモリ６６内の必要とされる処理設定値１２’，２１２’を指示する。
【００４６】
ここで図２を参照すると、信号プロセッサ６４のブロック図を示す。第１のオーディオソース１’からのオーディオ信号１００’は、第１の処理チャンネル１０’に割り当てられた。したがって、第１の処理チャンネル１０’に付随する信号処理ブロック５１’は、オーディオ信号１００’に特有の、これに適した、記憶済の処理設定値１２’に割り当てられる。同様に、第２のオーディオソース２’からのオーディオ信号２００’は、（オーディオ制御ユニット６２により）第２の処理チャンネル２０’に割り当てられた。したがって、第２の処理チャンネル２０’に付随する信号処理ブロック５２’は、オーディオ信号２００’に特有の、これに適した記憶済の処理設定値１２’に割り当てられる。理解されるように、オーディオシステム１１によれば、各オーディオ信号は、個別のアイデンティティ（同一性または識別性）を有するが、任意の処理チャンネル１０’，２０’，３０’を用い、１つまたはそれ以上のシステムスピーカ６０ａ，６０ｂで再生する前に処理される点で有利である。各オーディオソースは、処理チャンネル１０’，２０’，３０’に予め割り当てられるのではなく、オーディオ信号が出力されるときに、動的に処理チャンネル１０’，２０’，３０’に割り当てられるものである。その後、オーディオシステム１１は、処理ブロック５１’，５２’，５３’が割り当てられたオーディオ信号の質を最適化できるように、処理チャンネルに付随する処理ブロック５１’，５２’，５３’を適応し、修正し、または再設定するように構成される。すなわち処理チャンネルは、特定されたオーディオ信号に基づいて、いつでもオーディオ信号を処理する機能を有する。追加的に、処理チャンネルは、アイデンティティが異なる新しく割り当てられたオーディオ信号に適した処理がなされるように実施するプロセスシーケンスの特徴を変更する機能を有する。すなわち、オーディオシステム１１は、現在のオーディオシステムより格段に数多くのオーディオソースをサポートすることができる。任意的に、オーディオ信号は、アイデンティティ（同一性または識別性）に特有の設定値を用いて独立的に処理される。オーディオ信号のアイデンティティは、任意的には、デジタルオーディオ信号の種別またはフォーマット（たとえば圧縮フォーマット、解凍フォーマット、ＭＰ３、ＷＡＶ）、オーディオ信号のソース（たとえばＣＤ、ラジオ、電話、衛星ナビゲーションシステム、駐車センサ）、および／またはデジタルオーディオ信号のヘッダに含まれるアイデンティティのうちの１つまたはそれ以上のものにより決定される。
【００４７】
処理チャンネル１０’，２０’の処理ブロック５１’，５２’は、任意的には、１つまたはそれ以上のサブブロック１４，１６，１８，２１，２２，２４およびサブブロック３４，３６，３８，４０，４１を有する。処理チャンネル１０’，２０’の処理ブロック５１’，５２’の各処理設定値１２’，２１２’は、任意的には、サブブロック１４，１６，１８，２１，２２，２４およびサブブロック３４，３６，３８，４０，４１の１つまたはそれ以上のサブブロックのための１つ、それ以上、または一連の処理設定値１２’，２１２’を有する。
【００４８】
サブブロック１４，１６，１８，２１，２２，２４およびサブブロック３４，３６，３８，４０，４１のそれぞれは、入力オーディオ信号１００’，２００’の１つまたはそれ以上の特性を操作するために設けられている。サブブロック１４，１６，１８，２１，２２，２４およびサブブロック３４，３６，３８，４０，４１は、任意的には、入力オーディオ信号１００’，２００’に対して所定の機能を実行するための一連の独立した命令である。各処理ブロック５１’，５２’でダウンロードされ、指示され、引用され、または利用された設定値は、処理サブブロック１４，１６，１８，２１，２２，２４および処理サブブロック３４，３６，３８，４０，４１の１つまたはそれ以上の機能を処理する操作信号を定義する設定値を提供する。
【００４９】
たとえば、第１種別のオーディオ信号１００’のために最適化された処理設定値１２’は、（複数のスピーカのために複数のオーディオ信号に分割されたサラウンド音声信号を、ユーザが車両居室内に任意的に設けられるフェイダ・バランス制御ボタンを制御して要求するフェイドレート（減衰率）またはバランス調整レート（調和調整率）により決定されたより少数の信号に再圧縮するために用いられる）スマートフェイダ・バランスブロック１４、ダイナミック・イコライゼーション制御（ＤＥＣ）ブロック１６、イコライザブロック１８、サブウーハ抽出ブロック２１、遅延ブロック２２、およびゲインブロック２４に関する機能を実行する操作信号を定義する。好適には、本発明の任意的な態様として、ＤＥＣイコライゼーションブロック１６および／またはイコライザブロック１８の機能を処理する操作信号を定義する処理設定値１２’が、信号プロセッサ６４に付随するメモリ内に記録される。
【００５０】
記憶された個別の設定値１２’，２１２’３１２’は、オーディオシステム１１により出力されるオーディオ信号１００’，２００’，３００’等の各アイデンティティ（同一性または識別性）に対して定義される。さらに任意的には、スマートフェイダ・バランスブロック１４、サブウーハ抽出ブロック２１、遅延ブロック２２、およびゲインブロック２４に関する機能を実行する操作信号を定義する設定値は、処理されるオーディオ信号１００’，２００’，３００’の種別に基づいて変更されず、処理ブロック５１’，５２’，５３’のいくつかまたはすべてが用いるデフォルト設定値であってもよい。任意的には、これらのデフォルト設定値は、製造業者の要求に応じて調整できるように、信号プロセッサ６４に付随するメモリ内に記憶してもよい。追加的または択一的には、いくつかまたはすべてのデフォルト設定値は、オーディオシステム１１の処理ブロック５１’，５２’により実行される命令にハードコードしてもよい。
【００５１】
所与のオーディオ信号１００’，２００’，３００’のために記憶された処理設定値１２’，２１２’３１２’は、上記説明した機能と同等数の機能を処理する操作信号を定義してもよい。たとえば一連の入力オーディオ信号が電話ボイス信号である場合、このオーディオ信号のために記憶された設定値は、任意的には、電話ボイス拡張機能のための設定値を含み、ユーザにより制御されるスマートフェイダ・バランス機能のための設定値を含まない。
【００５２】
オーディオソース１’，２’，３’により供給されるオーディオ信号１００’，２００’，３００’は、１つまたはそれ以上の構成要素（チャンネルともいう。）を有してもよい。オーディオソース１’，２’，３’は、モノラルサウンド以外のステレオサウンドおよびサラウンドサウンドをサポートするために２以上の構成要素（チャンネル）を有してもよい。図１および図２に示す例示的な実施形態を参照すると、第１のオーディオ信号１００’は、２つの信号チャンネル１００’Ｌ，１００’Ｒを有する。一方の信号チャンネル１００’Ｌは左スピーカ６０ａのためのものであり、他方の信号チャンネル１００’Ｒ右スピーカ６０ｂのためのものである。第１のオーディオ信号１００’を信号処理している間、サブウーハ信号１００’ＳＷは、任意的には第１のオーディオ信号１００’のベースラインから抽出して、３つのオーディオ構成要素（チャンネル）１００’Ｌ，１００’Ｒ，１００’ＳＷが生成され、それぞれ左スピーカ（Ｌ）、右スピーカ（Ｒ）、およびサブウーハスピーカ（ＳＷ）から出力される。上記参照番号において、接尾語Ｌ，ＳＷ，Ｒを用いて、オーディオ信号チャンネル（構成要素）は特定のスピーカ、すなわち左スピーカ（Ｌ）、右スピーカ（Ｒ）、およびサブウーハスピーカ（ＳＷ）のためのものであることを示唆している。第２のオーディオ信号２００’は、ステレオオーディオ信号であり、左スピーカ６０ａおよび右スピーカ６０ｂのための２つの信号チャンネル２００’Ｌ，２００’Ｒを有する。任意的には、サブウーハの抽出は、第２のオーディオ信号２００’のための処理設定値２１２’に含まない。オーディオ信号１００’，２００’の特定のアイデンティティ（同一性または識別性）に対する処理設定値２１２’，１２’が設定されたとき、一連の特定の処理設定値２１２’，１２’がサブウーハ抽出ブロックを含むか否かについて予め決定される。実際、オーディオシステムがサポートする必要があるオーディオ信号１００’，２００’の特定のアイデンティティ（同一性または識別性）に対して処理設定値１２’，２１２’を予め設定する際、処理設定値１２’，２１２’が設定されるオーディオ信号の種別および／またはソースに基づいて、特定のオーディオ信号に対して処理を実行する種別（たとえば遅延、ゲイン、フェイド、バランス、イコライゼーション、サブフーハ抽出）を決定することができる。より具体的には、オーディオシステム１１が用いる処理設定値１２’，２１２’は、オーディオ信号に対するイコライゼーション（平準化）を実行し、オーディオ信号の特定の種別に特に適し、および／またはオーディオソースの特定の種別に特に適したオーディオ信号の周波数特性を適応させるように設定される。このようにして、オーディオシステムから出力されるすべてのオーディオ信号に対する包括的なイコライゼーション・フィルタリング特性への適応に付随する問題を回避し、既知のシステムと比較して、再生されるすべてのオーディオ信号の品質を改善することができる。
【００５３】
第１のオーディオ信号１００’は、信号プロセッサ６４から出力されると、３つの処理済信号チャンネル１００’Ｌｐ，１００’Ｒｐ，１００’ＳＷｐを有する。任意的には、処理済信号チャンネル１００’Ｌｐ，１００’Ｒｐ，１００’ＳＷｐは、ミキサブロック（混合ブロック）２６’に直接的に出力される。接尾語「ｐ」を用いて、参照されるオーディオ信号が信号処理済である（すなわち変更されたものである）ことを示唆する。第２のオーディオ信号２００’は、信号プロセッサ６４から出力されると、任意的には２つのみの信号チャンネル２００’Ｌｐ，２００’Ｒｐを有する。任意的には、２つの処理済信号チャンネル２００’Ｌｐ，２００’Ｒｐは、ミキサブロック（混合ブロック）２６’に直接的に出力される。
【００５４】
ミキサブロック２６’において、第１のオーディオソース１’からの３つのデジタル処理済信号チャンネル１００’Ｌｐ，１００’Ｒｐ，１００’ＳＷｐは、第２のオーディオソース２’からの２つの処理済信号チャンネル２００’Ｌｐ，２００’Ｒｐと一体に混合（ミキシング）または加算（サミング）される。オーディオシステムの左スピーカ（Ｌ）、右スピーカ（Ｒ）、およびサブウーハスピーカ（ＳＷ）のそれぞれのための、高品質バックグラウンドソースオーディオ要素および高品質フォアグラウンドソースオーディオ要素の両方を有する３つのオーディオ信号チャンネルが形成される。複合され、組み合わされ、変形された信号要素はそれぞれ、１００’Ｌｐ＋２００’Ｌｐ、１００’Ｒｐ＋２００’Ｒｐ、１００’ＳＷｐとラベル付けされる（図２参照）。
【００５５】
少なくとも２つの独立した処理チャンネル１０’，２０’が、それぞれ個別の信号処理モジュール５１’，５２’、ならびにオーディオシステム１１の操作の際、処理チャンネル１０’，２０’に現時点で割り当てられたオーディオ信号の種別および／またはソースに固有のものとなるように選択および変更された処理設定値１２’，２１２’を有することにより、すべての処理済のオーディオ信号が一体にミキシングされ、オーディオ信号出力チャンネルを形成する前に、オーディオの品質を改良または改善されるように各オーディオ信号が独立して最適化される。したがって、複合された出力サウンド１００’Ｌｐ＋２００’Ｌｐおよび出力サウンド１００’Ｒｐ＋２００’Ｒｐは、２つの信号１００’，２００’が信号処理される前に複合される場合に比して、より高品質で、より高品質なサウンドが得られるものと考えられる。とりわけ重要なことは、本願に係るオーディオシステムによれば、ミキシングする前にオーディオ信号を独立してイコライゼーション処理することを提供できる点にある。これは、信号１００’，２００’の両方を必ずしも最適化する必要のない場合に、ただ１つのイコライゼーション特性が両方の信号に適用される既知のシステムとは対照をなすものである。
【００５６】
ミキシングされたオーディオ信号（１００’Ｌｐ＋２００’Ｌｐ、１００’Ｒｐ＋２００’Ｒｐ、１００’ＳＷｐ）がオーディオシステム６０ａ，６０ｂのスピーカに達する前に、任意的には、３つの信号チャンネルは、１つまたはそれ以上の別のブロックに入力される。図示された構成において、３つのオーディオ信号（１００’Ｌｐ＋２００’Ｌｐ、１００’Ｒｐ＋２００’Ｒｐ、１００’ＳＷｐ）は、第３の信号処理ブロック５８に入力される。第３の信号処理ブロック５８は、環境補正設定値または全体システム設定値４２ともいう設定値４２を含み、またはこれを参照する。
【００５７】
環境補正設定値または全体システム設定値４２は、複合オーディオ信号チャンネルが（１００’Ｌｐ＋２００’Ｌｐ、１００’Ｒｐ＋２００’Ｒｐ、１００’ＳＷｐ）が再生されるリスニング環境５に対して、オーディオ信号チャンネル（１００’Ｌｐ＋２００’Ｌｐ、１００’Ｒｐ＋２００’Ｒｐ、１００’ＳＷｐ）が最適化されるように予め設定される。この補助的な信号処理ブロック５８のための環境補正設定値４２は、音声が再生されるリスニング環境５の音響特性に対して補償するように設けられている。環境補正設定値４２は、一連の特定のフィルタおよびその他の処理を選択することにより構成される。オーディオシステム１１は、所定の環境ファクタの情報（予めプログラムされ、および／またはリアルタイムでオーディオシステムに出力される情報であってもよい。）が供給され、たとえば車両居室５内の位置によりスピーカから出力されるオーディオの音量が小さくなる結果、補助的な信号処理ブロック５８のために選択されたイコライゼーション４４および他の設定値４２により、後方スピーカから再生されるサウンドの音量の増大に影響されることがあるため、オーディオシステム１１を後方スピーカに関する情報で予めプログラムしてもよい。
【００５８】
同様に、オーディオシステム１１が車両にインストールされ、その車両のサンルーフが開いている場合、オーディオが再生される音響環境が影響を受けて、本発明に係るオーディオシステム１１は、補助的な信号処理ブロック５８の動的に変更可能な設定値４２が開いたサンルーフを補償するように設定することができる。
【００５９】
図３は、オーディオシステム１１のオーディオ制御ユニット６２および／または信号プロセッサ６４により任意的に実行されるステップを概略的に示す。任意的なステップは、以下に列挙され、図３は、ステップおよび決定が行われ得る順序の具体例を示す。図３とともに以下に示すステップに関する説明を読めば、複数のオーディオ信号を制御し、最適化するために、オーディオ制御ユニット６２および／または信号プロセッサ６４のプログラムおよび／または１つまたはそれ以上の命令がどのように構成されるか理解することができる。
Ａ：新しいオーディオ信号を再生するようにリクエストを受ける。
Ｂ：新しいオーディオ信号を処理チャンネル（利用可能なチャンネルまたは現在使用中のチャンネル）に割り当てる。
Ｃ：新しいオーディオ信号を（任意的には、種別、ソース、および／または品質について）特定する。
Ｄ：新しいオーディオ信号が割り当てられた処理チャンネルに付随する処理ブロックを、オーディオ信号のアイデンティティ（識別性または特定されたオーディオ信号）に適当な処理設定値を用いて設定する（処理設定値を取得または読み出す。）。
Ｅ：新しいオーディオ信号に対して選択された処理設定値で特徴付けられる信号処理シーケンスを用いて、割り当てられた処理チャンネルで新しいオーディオ信号を処理する。
【００６０】
理解されるように、本発明に係るオーディオシステム１１は、２つまたはそれ以上の入力オーディオ信号を広範な手法で管理し、取扱い、処理することができる。図３に示す構成は、１つの入力オーディオ信号の管理を実施する手法を示す具体例である。同時に、オーディオシステム１１は、他の複数のオーディオ信号を制御し、管理するように構成され、１つまたはそれ以上の追加的なオーディオ信号に対して、個別の独立した特別の処理を実施するように構成されている。
【００６１】
たとえば図１に示すオーディオシステムを参照すると、ＭＰ３プレーヤのオーディオ信号１００’が第１の処理チャンネル１０’に割り当てられたとき、イコライゼーションブロック１４，１６に適当な処理を用いて、少なくともＭＰ３のオーディオ信号１００’のためにイコライゼーションブロックを調整する設定値を用いて、第１の処理チャンネル１０’に付随する処理ブロック５１’を設定（構成）する。その後、ＭＰ３のオーディオ信号１００’の再生リクエストが停止したとき、ＭＰ３のオーディオ信号１００’のための処理ブロック５１’のための設定を維持してもよい。択一的には、処理設定値を消去（クリア）してもよい。さらに択一的には、処理ブロック５１’は、ＭＰ３のオーディオ信号１００’が第１の処理チャンネル１０’に割り当てられなくなったことに応答して、メモリから選択されたデフォルト設定値をダウンロードまたは読み出してもよい。その後さらにオーディオシステム１１に、新しいオーディオ信号を出力するように新規に要請されることがある。オーディオシステム１１は、新しいオーディオ信号を再生するための利用可能性をチェックするように設定される。少なくとも第１の処理チャンネル１０’が利用可能であるとき、新しいオーディオ信号が第１の処理チャンネル１０’に割り当てられる。新しいオーディオ信号が特定されると、これを処理するために、新しい設定値をメモリ６６から取得する必要がある。（任意的には適当な処理設定値を処理サブブロックにアップロッドすることにより）新しいオーディオ信号を取り扱うように処理ブロック５１’が適当に構成されると、新しいオーディオ信号を処理し、高品質フォーマットで出力することができる。こうした操作と同時に、異なるオーディオ信号を第２の処理チャンネル２０’に割り当てて、これに対して同様の処理操作を行うことができる。２つの入力オーディオ信号は、個別に独立して処理された後、一体にミキシングされ、複合した出力信号が生成される。一方、図１の実施形態は、３つの入力オーディオ信号を個別に独立して処理することができるオーディオシステムを示すものであるが、理解され、想定されるように、他の実施形態に係るオーディオシステムは、より数多くのオーディオ信号を同時に再生することができる。
【００６２】
たとえば図４に示す本発明に係る別の実施形態では、オーディオシステムは、任意的には、７つのオーディオ信号１００，２００，３００，４００，５００，６００，７００を同時に再生することができる。オーディオシステムは、７つのオーディオ信号を同時に処理するための７つの処理チャンネルを有する。同時に処理され、出力された７つのオーディオ信号は、７つまたはそれ以上のオーディオソースからの７つまたはそれ以上のオーディオ信号を含む複数の潜在的なオーディオ信号から選択される。７つのオーディオ信号１００，２００，３００，４００，５００，６００，７００の有限の最大選択肢のそれぞれは、任意的には、オーディオ種別が異なるか、または同一であり、オーディオソース１，２，３，４，５，６，７が異なるか、または同一である。７つの処理チャンネル１０，２０，３０，４０，５０，６０，７０のそれぞれは、任意的には、個別の信号処理ブロック５１，５２，５３，５４，５５，５６，５７に接続され、各処理チャンネルに動的に割り当てられたオーディオ信号を、そのアイデンティティ（同一性または識別性）に基づいて調整するために適当なデジタル処理を行うように、各信号処理ブロック５１，５２，５３，５４，５５，５６，５７を動的に変更、修正、または設定することができる。任意的には、信号処理ブロック５１，５２，５３，５４，５５，５６，５７が、処理される特定のオーディオ種別により要求される操作信号処理機能を定義する設定値を読み出し、ダウンロードし、または参照することにより、動的な再設定を行うことができる。
【００６３】
択一的には、想定される実施形態において、２つ以上のオーディオ信号が同一処理を行う必要があるとき、これらのオーディオ信号がグループ分けされ、同一の処理チャンネルに割り当てられるように、オーディオシステムが設定される（これについては以下詳述する。）。
【００６４】
現在、ＣＤプレーヤからのオーディオ信号が第１のチャンネル１０を介して再生され、たとえば電話２００、交通アナウンスシステム３００、および衛星ナビゲーションシステム４００を介してチャンネル２０〜４０が他のオーディオ信号のために使用されていた場合、さらなるオーディオ信号を再生する必要がなければ、他の３つのチャンネルが利用可能である。別のオーディオ信号５００を再生するようにオーディオシステムが要請されると、新しいオーディオ信号５００を処理チャンネル５０等の利用可能なチャンネルに割り当てることができる。新しいオーディオ信号５００は、ブロック２６において、他の処理済信号１００ｐ，２００ｐ，３００ｐ，４００ｐにミキシングまたは複合される前に、新しいオーディオ信号５００の品質を最適化するように調整する処理５１２が実行される。
【００６５】
任意的には、各処理チャンネルは、ユーザのリクエストにより再割り当て可能である。さらに、各処理チャンネルは動的に割り当て可能である。これは、第３のチャンネル３０に入力されたオーディオ信号３００を再生するリクエストが終了した場合、第３のチャンネル３０は利用可能であり、そのチャンネルに新たなオーディオ信号を割り当てられることを意味する。オーディオシステムにより、新たなオーディオ信号が第３のチャンネル３０に割り当てられた場合、新たなオーディオ信号がそのアイデンティティ（種別、品質、および／またはソース）に基づいて特定され、第３のチャンネル３０に付随するデジタル信号処理ブロック３１２が、第３のチャンネル３０に割り当てられた新たなオーディオ信号のオーディオソースに適するように（さらに任意的には、特別に選択されたイコライゼーション設定値を有するように）調整された特定の信号処理を行うように再設定される。このデジタル信号処理（ＤＳＰ）ブロックの動的な再設定、および要請に応じた動的なチャンネル割り当てにより、本発明に係るオーディオシステムは、数多くの潜在的なオーディオソースをサポートすることができる。また本発明に係るオーディオシステムは、好適で必要ならば、任意的にはオーディオ信号を一体にミキシングする前に、オーディオ信号の品質を個別に独立して最適化することができる。
【００６６】
図４に示す実施形態では、７つの処理チャンネルが利用可能であり、処理チャンネルには、スピーカおよび／またはヘッドセットで再生できるオーディオ信号を出力するためにミキシングする前にオーディオ信号を入力し、処理することができる。人間が同時に異なるオーディオ信号を聞いて明確に聞き取れるオーディオ信号の数は限られている。これは、７つまでの範囲であるので、本発明に係るいくつかの実施形態によるオーディオシステムでは最大７つの処理チャンネルが利用可能である。しかし想定されるように、本発明に係るオーディオシステムは、より数少ない、またはより数多い処理チャンネルを有してもよいが、好適には少なくとも２つの処理チャンネルを有し、任意的には６４以上の処理チャンネルを有してもよい。
【００６７】
オーディオシステムは、処理チャンネルおよび処理ブロックより数多くのオーディオソースに有線または無線で物理的に接続してもよい。
【００６８】
任意的に本発明に係る１つの実施形態では、想定されるように、オーディオシステムは、バックグラウンドタイプのオーディオソースから２つまたはそれ以上のオーディオ信号に対応することができる。典型的には、これらは、ＣＤプレーヤ、ラジオ、ＭＰ３プレーヤ、ｉＰｏｄ（登録商標）等のデバイスから出力された音楽信号であってもよく、あるいはＤＶＤプレーヤおよびスマートフォン等のデバイスから出力されたエンタテイメント信号（娯楽信号）であってもよい。バックグラウンドソースからの２つ以上のオーディオ信号を同時に処理して出力可能なオーディオシステムは、通常必要とはされることはないが、本発明は、２つ以上のバックグラウンドソースからのオーディオ信号を出力できるオーディオシステムを提供するものである。本願で開示されるオーディオシステムは、想定される実施形態では、たとえば３つのバックグラウンドソースをサポートし、すなわち後部座席エンタテイメントデバイス（ＲＳＥデバイス）のための２つのバックグラウンド・オーディオ信号、およびドライバおよび前部座席乗員のためのラジオ等の第３のバックグラウンド・オーディオ信号をサポートする。任意的には、少なくとも２つの独立したオーディオ信号を優先接続または無線接続でヘッドフォンまたはヘッドセットに出力してもよい。本発明は、２つまたはそれ以上のバックグラウンドソース・オーディオ信号を独立して処理し、独立してイコライゼーション（平準化）を行うことができるオーディオシステムを提供する。このような実施形態において、２つまたはそれ以上のバックグラウンドソース・オーディオ信号は、一体にミキシングされることはなく、異なるスピーカ（たとえば車室前部とヘッドセット）に独立して出力される。各バックグラウンドオーディオ信号は、出力される前に、（それぞれ独立して処理された）１つまたはそれ以上のフォアグラウンドオーディオ信号とのミキシング、および／または環境補正処理４２を行ってもよい。
【００６９】
任意的に本発明に係る別の実施形態では、いくつかの処理チャンネルのみが動的に再設定可能な処理ブロックを有し、その他の処理チャンネルは、デフォルト設定値のみを用いる処理ブロックを有する。デフォルト設定値は、メモリ内に記憶され、固定設定値チャンネルの処理ブロックにより実行されるロジックをデフォルト固定設定値のみに制限してもよい。たとえば特定の処理チャンネル１０，２０，３０に付随する２つ以上の処理ブロック５１，５２，５３において固定設定値１２を用いてもよい。処理設定値１２は、任意的には、バックグラウンドタイプ（たとえば音楽）のオーディオソースから出力されるオーディオ信号のための操作信号処理機能を定義してもよい。オーディオシステム１１の処理を簡素化するために、オーディオ制御ユニット６２は、バックグラウンドタイプのオーディオ信号のみを処理チャンネル１０，２０，３０に割り当ててもよい。処理チャンネル１０，２０，３０の処理ブロック５１，５２，５３は固定され、動的に再設定できない。ただし、その他の処理チャンネル４０，５０，６０等は、再設定可能であり、特有の設定値２１２，３１２，４１２は、動的に再設定可能チャンネル４０，５０，６０等に付随する処理ブロック５４，５５，５６により指定され、読み出され、ダウンロードされるので、割り当てられたオーディオソースのアイデンティティに依存して調整することができる。
【００７０】
さらなる具体例として、５つの処理チャンネル１０，２０，３０，４０，５０を、バックグラウンドソースのオーディオ信号（たとえば音楽）を定義する標準的な設定値に固定してもよい。オーディオ制御ユニット６２がバックグラウンドソースから入力されたものと特定した入力オーディオ信号は、「バックグラウンドソース」の処理チャンネル１０，２０，３０，４０，５０のうちの１つに割り当てられる。入力オーディオ信号がオーディオ制御ユニット６２によりフォアグラウンドソースオーディオ信号と特定された場合、その入力オーディオ信号は、「フォアグラウンドオーディオ」の処理チャンネル６０，７０，８０等のうちの１つに割り当てられる。「フォアグラウンドオーディオ」の処理チャンネル６０，７０，８０等は、動的に再設定可能であり、処理ブロック５６，５７，５８等は、１つもしくはそれ以上、または複数の記憶された設定値を読み出し、指定することができる。
【００７１】
理解されるように、本発明の範囲内において、さまざまな変形例を想到することができる。本発明に係るオーディオシステムで処理される、たとえばオーディオ信号の数、種別、およびソースは数多く、多様なものであってもよい。オーディオシステムは、入力デジタル信号および入力アナログ信号を処理可能であってもよく、１つまたはそれ以上のアナログ／デジタル・コンバータを有してもよい。
【００７２】
オーディオ信号のアイデンティティは、オーディオ信号の種別、および／またはオーディオ信号の品質、および／またはオーディオ信号のソースに関する情報を含んでもよい。オーディオ信号のアイデンティティ（たとえば種別）は、オーディオ信号が処理チャンネルに割り当てられる前に特定されることが好ましい。その他の構成では、オーディオ信号のアイデンティティ（たとえば種別）は、オーディオ信号が処理チャンネルに割り当てられる後まで特定されなくてもよい。
【００７３】
本発明に係る他の実施形態では、想定されるように、環境補正デジタル信号処理（環境補正ＤＳＰ）４２がオーディオ再生される環境（たとえば車両居室）のために補償することを意図したものであるため、典型的には、環境補正ＤＳＰ４２が統一した手法で適用され、好適には、入力信号がミキシングブロック２６で一体にミキシングされた後に適用される。別の想定される実施形態では、２つ以上の環境補正ＤＳＰ４２を用いてもよい。環境補正ＤＳＰ４２は、独立した信号グループに対して行ってもよく、独立した信号に対して行ってもよく、または特注の環境補正ＤＳＰ１２，２１２，３１２，４１２，５１２，６１２，７１２とともに入力オーディオ信号に対する各処理チャンネル専用の動的なセットアップのために行ってもよい。たとえばオーディオが再生される環境が独立した空間領域において個別の音響特性を有し、オーディオ信号が独立した空間領域にあるスピーカで再生される場合、オーディオシステムの上記構成は有益な用途がある。この場合、再生すべきオーディオ信号のそれぞれに対する環境補正ＤＳＰ４２は同一でなくてもよく、信号グループまたは個々の信号に対して環境補正ＤＳＰ４２を行ってもよい。たとえば（図４に示す）本発明の想定される用途において、オーディオシステムが、後部座席エンターテイメントシステムシステム（ＲＳＥシステム）のオーディオを車両居室の後部空間領域内に配置されたスピーカに再生すると同時に、音楽用携帯デバイスからのオーディオを車両居室の前部内に配置されたスピーカのみに再生することが要請される場合がある。車両居室の後部空間のためのＲＳＥシステムに適応される環境補正ＤＳＰ４２は、車両居室の後部空間の音響特性を特に考慮して構成されているため、車両居室の後部空間のためのオーディオ信号のみに適用される。また、異なる、個別の環境補正ＤＳＰ４２が、車両居室の前部空間のための音楽用携帯デバイスのオーディオ（およびすべての追加的なフォアグラウンドソースのオーディオ信号）に適用される。すなわち想定されるように、複数の入力オーディオ信号をミキシングする前に、特定の入力オーディオ信号に適するように動的に形成されたＤＳＰブロックを有するとともに、いくつかの実施形態では、本発明に係るオーディオシステムは、１つまたはそれ以上の利用可能な環境補正ＤＳＰブロックを有する。任意的に特定の状況では（たとえば個別の独立した後部車室オーディオと前部車室オーディオを要求するユーザモードにおいて）、オーディオ信号グループを再生すべき環境の音響特性に適するようにＤＳＰブロックを動的に割り当ててもよい（たとえばすべての前部車室用オーディオに第１の環境補正ＤＳＰを割り当て、すべての後部車室用オーディオに第２の環境補正ＤＳＰを割り当ててもよい。）。
【００７４】
想定されるように、追加的または択一的に、いくつかの実施形態では、オーディオシステムは２つ以上のミキシングブロックを有する。こうした実施形態では、２つ以上のオーディオ信号を２つまたはそれ以上のミキシングブロックで組み合わせてもよい。たとえば４つのオーディオ信号をそれぞれ処理した後、２つのミキシングブロックを用いて処理済のオーディオ信号を組み合わせてもよい。すなわちオーディオシステムは、２つの独立したオーディオ信号を出力してもよい。任意的に、第１のオーディオ信号が第１のセットのスピーカ（たとえば前部スピーカ）に出力され、第２のオーディオ信号が第２のセットのスピーカ（たとえば後部スピーカ）に出力されてもよい。このような構成において、処理済のオーディオ信号を異なる数のグループで組み合わせてもよいし、同様の数のグループで組み合わせてもよい。
【００７５】
ＣＤプレーヤ、ＤＶＤプレーヤ、ブルーレイプレーヤ、スマートフォン、電話、衛星ナビゲーションシステム、駐車支援システム、旅行案内システム、車両（外部）診断システム、オーディオシステム（内部）診断システム、ＤＡＢ（デジタルオーディオ放送ラジオ）、ＦＭ／ＡＭラジオ、ビデオ、およびカメラからなる、入力可能なオーディオ信号ソースの種別のリストは、単に例示するものであって、取扱可能なすべてのオーディオ信号の排他的なものではない。
【００７６】
理解されるように、オーディオシステムの装置（この装置は任意的に増幅器ともいう。）を用いた入力オーディオ信号の取扱および処理は、任意的には実行可能なプログラムと協働するプロセッサにより実行されるステップを含む。デジタルオーディオ信号が操作されるプログラムおよび手法の具体的な構成および配置は、数多くのさまざまなフォーマットを利用することができ、任意的に２つ以上の処理装置および／またはアクセス可能なメモリを用意してもよい。
【符号の説明】
【００７７】
表１は、添付図面に表した符号とその簡単な説明を示したものである。
【００７８】
【表１】
0006006340.tif 000002
【図１】
0006006340.tif 000003
【図２】
0006006340.tif 000004
【図３】
0006006340.tif 000005
【図４】
0006006340.tif 000006